(57)【要約】【課題】撮像装置に対して読取装置が２次元コード読み取り可能状態であることを示すトリガ信号を検知したりしなかったりすることのみで、ヘルプモードの表示とヘルプ情報を要請するための２次元コードの表示とを切り換えることを可能にする。【解決手段】ヘルプモードに切り換えるために操作される操作部材と、操作部材が操作されたことに応じてヘルプモードであることを表示する表示手段１０９と、ヘルプモードにおいて、２次元コードを読み取り可能な読取装置が読み取り可能状態であることを示すトリガ信号を検知する検知手段と、検知手段によりトリガ信号を検知したときには、表示手段にヘルプ情報を要請するための２次元コード１２３を表示させ、検知手段により前記トリガ信号を検知しないときには、表示手段に２次元コードの表示を停止させるとともに、表示手段をヘルプモードであることの表示に戻す表示制御手段とを有する。【選択図】図６
2011155534.tif 000002
【特許請求の範囲】
【請求項１】
ヘルプモードに切り換えるために操作される操作部材と、
前記操作部材が操作されたことに応じて前記ヘルプモードであることを表示する表示手段と、
前記ヘルプモードにおいて、２次元コードを読み取り可能な読取装置が読み取り可能状態であることを示すトリガ信号を検知する検知手段と、
前記検知手段により前記トリガ信号を検知したときには、前記表示手段にヘルプ情報を要請するための２次元コードを表示させ、前記検知手段により前記トリガ信号を検知しないときには、前記表示手段に２次元コードの表示を停止させるとともに、前記表示手段を前記ヘルプモードであることの表示に戻す表示制御手段とを有することを特徴とする撮像装置。
【請求項２】
前記ヘルプモードであることの前記表示手段による表示は、前記表示手段上で行われる設定操作の邪魔にならない位置に表示されることを特徴とする請求項１に記載の撮像装置。
【請求項３】
前記ヘルプ情報は、前記表示手段上で行われる設定操作に関連する情報であることを特徴とする請求項１または２に記載の撮像装置。
【発明の詳細な説明】
【技術分野】
【０００１】
本発明は、デジタルカメラ等の撮像装置に関するものである。
【背景技術】
【０００２】
デジタルカメラ等の撮像装置を出先で使用していてエラーの発生や操作が分からなくなった際に、ユーザーが簡単な操作でヘルプ情報を得て、その場で情報を見ながら対応可能にする事が求められている。
【０００３】
従来、プリンタ等の周辺機器においてエラーが発生した際にそのエラーに対応した二次元コード（例えば、ＱＲコード）を表示する。そして、カメラ付き携帯電話によってその２次元コード表示を読み取り、当該携帯電話により機種専用のＷｅｂサイトに接続することで、ヘルプ情報を得る方法が開示されている（特許文献１）。
【先行技術文献】
【特許文献】
【０００４】
【特許文献１】特開２００７−１１０５２４号公報
【発明の概要】
【発明が解決しようとする課題】
【０００５】
しかしながら、上記提案の方法では、ヘルプ情報が欲しい際には２次元コードを表示部に表示させるためにユーザー自身がカメラ操作して表示モードを切り換える必要があった。また、ヘルプ情報を得た後に元の設定に戻す際にも、ユーザー自身がカメラ操作をする必要があり、その操作が非常に煩雑であった。
【０００６】
また、設定が階層になっている等で複雑な操作が必要な際には、携帯電話で得たヘルプ情報を見て１つ目の操作を行った後、再びそこから派生するヘルプ情報を得る際のユーザーインターフェースにおいて利便性に乏しかった。
【０００７】
（発明の目的）
本発明の目的は、撮像装置に対して読取装置が２次元コード読み取り可能状態であることを示すトリガ信号を検知したりしなかったりすることのみで、ヘルプモードの表示とヘルプ情報を要請するための２次元コードの表示とを切り換えることを可能にする撮像装置を提供しようとするものである。
【課題を解決するための手段】
【０００８】
上記目的を達成するために、本発明の撮像装置は、ヘルプモードに切り換えるために操作される操作部材と、前記操作部材が操作されたことに応じて前記ヘルプモードであることを表示する表示手段と、前記ヘルプモードにおいて、２次元コードを読み取り可能な読取装置が読み取り可能状態であることを示すトリガ信号を検知する検知手段と、前記検知手段により前記トリガ信号を検知したときには、前記表示手段にヘルプ情報を要請するための２次元コードを表示させ、前記検知手段により前記トリガ信号を検知しないときには、前記表示手段に２次元コードの表示を停止させるとともに、前記表示手段を前記ヘルプモードであることの表示に戻す表示制御手段とを有することを特徴とするものである。
【発明の効果】
【０００９】
本発明によれば、撮像装置に対して読取装置が２次元コード読み取り可能状態であることを示すトリガ信号を検知したりしなかったりすることのみで、ヘルプモードの表示とヘルプ情報を要請するための２次元コードの表示とを切り換えることを可能にする。
【図面の簡単な説明】
【００１０】
【図１】本発明の一実施例に係るデジタルカメラの構成を示すブロック図である。
【図２】図１のデジタルカメラの正面、背面及び両側面を示す図である。
【図３】図１のデジタルカメラの上面および底面を示す図である。
【図４】設定操作画面およびヘルプモード表示を示す拡大図である。
【図５】読取装置が読み取り可能位置に位置する状態を示す図である。
【図６】ＱＲコードが設定操作画面に表示されている状態を示す図である。
【図７】ヘルプモードでの動作を示すフローチャートである。
【図８】ヘルプ情報を得る方法を説明するための概念図である。
【発明を実施するための最良の形態】
【００１１】
本発明を実施するための最良の形態は、以下の実施例に示す通りである。
【実施例】
【００１２】
図１は本発明の一実施例に係る撮像装置の一例であるデジタルカメラの構成例を示すブロック図である。
【００１３】
図１において、３は撮影レンズ、１は絞り機能を備えるシャッタ、２２は光学像を電気信号に変換するＣＣＤやＣＭＯＳ素子等で構成される撮像部である。２３はＡ／Ｄ変換器であり、撮像部２２から出力されるアナログ信号をデジタル信号に変換する場合に用いられる。２はバリアであり、デジタルカメラ１００の、撮影レンズ３を含む撮像部２２を覆う事により、撮像部２２の汚れや破損を防止する。１２はタイミング発生部であり、メモリ制御部１５及びシステム制御部５０により制御される。２４は画像処理部であり、Ａ／Ｄ変換器２３やメモリ制御部１５からのデータに対し所定の画素補間、縮小といったリサイズ処理や色変換処理を行う。
【００１４】
３２はメモリであり、Ａ／Ｄ変換器２３からの出力データが、画像処理部２４及びメモリ制御部１５を介して、或いは、直接メモリ制御部１５を介して書き込まれる。１６は画像データを圧縮伸張する圧縮伸張部であり、メモリ３２に格納された撮影画像を読み込んで圧縮処理を行い、処理を終えたデータをメモリ３２に書き込む。１３はＤ／Ａ変換器、２８はＬＣＤ等からなる画像表示部であり、メモリ３２に書き込まれた表示用の画像データはＤ／Ａ変換器１３を介して画像表示部２８により表示される。
【００１５】
１０はマイクであり、出力された音声信号は音声制御部１１を介してＡ／Ｄ変換部２３においてデジタル信号に変換された後、メモリ制御部１５によってメモリ３２に格納される。一方、記録媒体２００に記録されている音声データは、メモリ３２に読み込まれた後、Ｄ／Ａ変換部１３を介し音声制御部１１において制御された信号がスピーカー１４において発音される。５６は不揮発性メモリであり、例えばＥＥＰＲＯＭ等が用いられる。５０はデジタルカメラ１００全体を制御するシステム制御部である。５２はシステム制御部５０の動作用の定数、変数、不揮発性メモリ５６から読み出したプログラム等を展開するシステムメモリである。
【００１６】
６２はスイッチＳＷ１とスイッチＳＷ２を具備したシャッタボタン、７０は操作部であり、これらはシステム制御部５０に各種の動作指示を入力するためのものである。６０はモード切換スイッチであり、システム制御部５０の動作モードを静止画モード、動画モード、再生モード等のいずれかに切り換えることができる。７２は電源スイッチ、３９は電源制御部、３０はリチウム電池等の一次電池やＮｉＣｄ電池等からなる電源部である。３３及び３４はコネクタであり、電源部３０と電源制御部３９とを接続する。４０はＲＴＣ（Ｒｅａｌ  Ｔｉｍｅ  Ｃｌｏｃｋ）であり、電源制御部３９とは別に内部に電源部を保持し、電源部３０が落ちた状態であっても、時計動作状態を続けている。
【００１７】
１８は記録媒体２００とのインターフェース、３５は記録媒体２００とインターフェース１８との接続のためのコネクタである。９８はコネクタ３５に記録媒体２００が装着されているか否かを検知する記録媒体着脱検知部である。２００はメモリカードやハードディスク等の記録媒体である。この記録媒体２００は、半導体メモリや磁気ディスク等から構成される記録部１９、デジタルカメラ１００とのインターフェース３７、及び、記録媒体２００とデジタルカメラ１００とを接続するためのコネクタ３６を備えている。２１は通信部であり、ＲＳ２３２ＣやＵＳＢ等の各種通信処理を行う。１７はコネクタであり、通信部２１を介してデジタルカメラ１００を他の機器と接続する。１２１は携帯電話１２２がデジタルカメラ１００に近づいたことを検知する光電センサ（詳細は図５にて詳述）であり、トリガとなる信号を検知するとシステム制御部５０に情報を伝える。
【００１８】
図２（ａ）〜（ｄ）及び図３（ａ），（ｂ）は、図１の構成を具備したデジタルカメラ正面、背面、側面、上面、底面をそれぞれ示す図である。
である。
【００１９】
これらの図において、１０１は撮影光学系を構成している鏡筒、１０２はカメラ上部を覆うように設けられている上カバー、１０３，１０４，１０５はそれぞれ前カバー、背面カバー、側面カバーである。１０６は各種外部デバイスに接続する為にプリント基板上に実装された端子類を保護するコネクタカバーである。本実施例では、テレビ受信機等の外部映像デバイスに接続する為のアナログビデオ端子、外部直流電源に接続する為の電源端子、ＰＣ等に接続する為のデジタル端子のうち少なくとも一つを備えるものとする。１０７はポップアップストロボであり、収納状態と起立状態の間でカメラ本体に対して移動可能に設けてある。１０８はＡＦ補助光窓、１０９は撮影画像の確認・再生、撮影条件などの各種情報を表示する為の液晶表示部である。なお、図１で画像表示部２８は液晶表示部１０９を兼ねる。１１０は操作ダイヤルであり、中央のボタンと周囲のダイヤルから構成されており、時計・反時計回りに回動可能で且つ上下左右４箇所に対し押し込み操作も可能なものである。
【００２０】
１１１はストラップを通す為の孔を備えたストラップリング、１１３は撮影準備及び撮影開始機能を備えた操作部材であるシャッタボタン（図１のシャッタボタン６２に相当）である。１１２は光学式変倍機能或いは電子式変倍機能においてその倍率を調節操作する為のズームレバーであり、シャッタボタン１１３の中心に対し所定の角度まで回動可能に備えられている。１１４はカメラ本体の電源のＯＮ／ＯＦＦを行う為のパワーボタン（図１の電源スイッチ７２に相当）、１１５は各種撮影モードを選択する為のモードダイヤル、１１６はカメラ本体に対しスライド及び回動動作が可能な電池蓋である。１１７は電池蓋１１６の不用意なスライドを抑止する為の電池蓋ロックレバーであり、本実施例においては常にカメラ後方側へ付勢部材により付勢されており、カメラ前方側へスライド操作することにより、電池蓋１１６のスライド動作が許可される。１１８は三脚台に固定する為に備えられた三脚穴である。１１９は撮影条件等の各種設定の際に使用する操作ボタン群であり、４つの操作ボタンが互いに隣接するように配設されている。
【００２１】
図４（ａ）は、デジタルカメラ背面に配置された液晶表示部１０９およびその下方向に配置された操作ボタン群１１９周りを拡大表示した図である。
【００２２】
操作ボタン群１１９には、撮影条件や各種設定を行う際に使用するボタン１１９ａ，１１９ｂ，１１９ｃ，１１９ｄそれぞれが配置されている。ユーザーは撮影時や画像再生時、各種設定を行う際には液晶表示部１０９の画面上に表示された画像や文字等の情報を見ながらボタン１１９ａ〜１１９ｄを押下して各種設定を行う。ボタン１１９ａは設定操作時にエラーが発生したり、操作方法がわからなかったりしたときにユーザーがヘルプ情報を得るためのヘルプモードに切り換える時に操作する操作部材としてのヘルプ用ボタンである。
【００２３】
図４（ｂ）は、デジタルカメラ１００がヘルプモード状態であるときの液晶表示部１０９の画面であり、１２０はヘルプモードであることを示すヘルプモードアイコンである。１２１は後述する光電センサである。
【００２４】
図５（ａ），（ｂ）は、デジタルカメラ１００の液晶表示部１０９に表示されたＱＲコード１２３などの２次元コードを携帯電話１２２のカメラ機能部１２４で読み取る際に、携帯電話１２２が読み取り可能位置にあるかどうかを検知する構成を説明する図である。なお、ＱＲコード１２３については図６（ｂ）にて後述する。
【００２５】
１２１は図４に示す位置に具備された、携帯電話１２２が近づいたことを検知するための光電センサであり、発光素子部１２１ａと受光素子部１２１ｂを有している。
【００２６】
図６（ａ），（ｂ）は、ヘルプモード画面と２次元コード表示画面の切り換えを示した図であり、１２３は２次元コード画面において読み取りに適したサイズに表示されたＱＲコードである。
【００２７】
次に、デジタルカメラ１００が読取装置であるところの携帯電話１２２を検知する構成について、図５を用いて説明する。
【００２８】
図４に示したように、デジタルカメラ１００には携帯電話１２２が近づいたことを検知するための光電センサ１２１が具備されている。そして、光電センサ１２１内の発光素子部１２１ａから発射されて携帯電話１２２の外装面によって反射した光を受光素子１２１ｂで検知する構成になっている。したがって、デジタルカメラ１００がヘルプモードにある状態において、ユーザーが携帯電話１２２をデジタルカメラ１００の液晶表示部１０９に対して近づけたとする。すると、デジタルカメラ１００に具備された光電センサ１２１により携帯電話１２２からの反射光を受光して、読み取り位置に携帯電話１２２が近づいたことを検知できる。つまり、光電センサ１２１は、現在行っている操作に関連した２次元コードを表示させるためのトリガとなる信号を検知する手段であり、検知するとその信号をシステム制御部５０に伝える。
【００２９】
次に、ユーザーに対してヘルプ情報を提供する際に使用されるヘルプモードについて説明する。
【００３０】
図７は本実施例に係るデジタルカメラのヘルプモードについての動作を説明するフローチャ−トである。
【００３１】
ステップＳ１０１では、システム制御部５０は、その時行っている設定操作についてヘルプ情報が得たいとしてユーザーによりヘルプモードへのモード切換操作が行われるのを待機する。本実施例においては、図４（ａ）のヘルプ用ボタン１１９ａをユーザーが押すことで、ヘルプモードへの切換を行うことができる。モード切換操作が行われるとステップＳ１０２へ進み、液晶表示部１０９の設定操作画面に、ユーザーに対してヘルプ情報を提供可能であることを伝えるためのヘルプモード表示を、図４（ｂ）に示されるように設定操作の邪魔にならない位置、例えば右上隅に行う。
【００３２】
具体的には、例えば、デジタルカメラ１００で対象物（人や景色等）を撮影するときにＩＳＯ感度の設定方法について知りたいと思ったとする。この際、ユーザーはＩＳＯ感度の設定操作画面（図４（ａ）参照）においてヘルプ用ボタン１１９ａを押す。すると、図４（ｂ）に示すヘルプモード表示を示す画面に移行し、設定操作の邪魔にならないように画面の右上隅に携帯電話１２２を模したヘルプモードアイコン１２０を表示する。これにより、ユーザーに携帯電話等でヘルプ情報を要請するためのＱＲコード１２３の読み取りが可能な状態であることを知らしめる。
【００３３】
次のステップＳ１０３では、光電センサ１２１を用いて、読取装置の一例である携帯電話１２２がデジタルカメラ１００のＱＲコード１２３の読み取り可能な位置（距離）にあるかどうかの判定を行う。この結果、読み取り可能位置に携帯電話１２２が無かった場合、つまり光電センサ１２１により現在行っている操作に関連したＱＲコード１２３を表示させるためのトリガとなる信号が検知されなかった場合はステップＳ１０２へ戻る。そして、画面表示をヘルプモード表示のままとする。
【００３４】
一方、光電センサ１２１により現在行っている操作に関連したＱＲコード１２３を表示させるためのトリガとなる信号が検知された場合はステップＳ１０３からステップＳ１０４へ進む。そして、ステップＳ１０４では、液晶表示部１０９の画面に、設定操作に関連した情報を得るためのＱＲコード１２３を読み取りに最適なサイズで表示する（図６（ａ）→（ｂ）参照）。このように本実施例では、ユーザーは、ＱＲコード１２３を携帯電話１２２によって撮影して読み取りを行い、携帯電話１２２のＷｅｂサイトに接続することでＩＳＯ感度に関する設定方法・ヘルプ情報を得ることができる。
【００３５】
上記ステップＳ１０４でＱＲコード１２３を表示した後はステップ１０５へ進み、ユーザーによるモード切換操作があったか否か判定し、モード切換操作が行われていない場合にはステップＳ１０３へ戻り、再度読取装置である携帯電話１２２の有無の検知を行う。ユーザーが検知領域外に携帯電話１２２を遠ざけた場合には、ステップＳ１０３からステップＳ１０２へ進み、ＱＲコード１２３の表示を停止させるとともに、ヘルプモードであることの表示に戻す。一方、モード切換操作があった場合、つまりヘルプモードを終了するためにヘルプ用ボタン１１９ａを再度押す操作が行われると、ヘルプモードを終了し、通常のモードへと復帰する。
【００３６】
次に、図８を用いて、携帯電話１２２を用いてデジタルカメラ１００のヘルプ情報を得る場合について説明する。
【００３７】
ヘルプモードにおいて、携帯電話１２２をデジタルカメラ１００の液晶表示部１０９の画面に近づけると、前述の光電センサ１２１により携帯電話１２２が検知される。そして、その検知信号をトリガとして、ヘルプ情報を要請ためのＱＲコード１２３が図８に示すように液晶表示部１０９の設定操作画面に表示される。このとき表示されるＱＲコード１２３は、ユーザーがデジタルカメラ１００を操作していた時の設定メニューに関するＱＲコードである。
【００３８】
ユーザーはこのＱＲコード１２３を携帯電話１２２のカメラ機能部１２４で読み取り、Ｗｅｂサイトに接続する。これにより、自分が欲しいヘルプ情報を携帯電話１２２のＷｅｂサイトから得ることができる。これは、ユーザーがその時点で行っている設定操作に対応したＱＲコード１２３をデジタルカメラ１００のシステム制御部５０が絶えず生成して更新しつづけるようにしているからである。
【００３９】
また、ヘルプモードにおいて、ＱＲコード１２３は光電センサ１２１が被検知物体（実施例では携帯電話１２２）を検知している間のみ（図７のステップＳ１０３のＹＥＳ）、液晶表示部１０９の設定操作画面に表示される。その後、ユーザーが検知領域外に携帯電話１２２を遠ざけると、液晶表示部１０９の画面には元の設定操作画面の状態に自動的に戻る構成になっている。これにより、ヘルプ情報取得時にＱＲコード１２３を表示させるための操作や、読み取り終了後に元の設定操作画面に戻す操作が必要なくなり、ユーザーはデジタルカメラ１００の操作を行う際にストレスなくヘルプ情報を取得でき、引き続き所望の操作を行うことが可能となる。
【００４０】
以上の実施例におけるデジタルカメラ１００は、ヘルプモードに切り換えるために操作されるヘルプ用ボタン１１９ａ（操作部材）を有する。また、操作部材が操作されたことに応じてヘルプモードであることを表示する液晶表示部１０９（表示手段）を有する。また、ヘルプモードにおいて、２次元コード１２３を読み取り可能な携帯カメラ１２２（読取装置）が読み取り可能状態であることを示すトリガ信号を検知する光電センサ１２１（検知手段）を有する。また、検知手段により前記トリガ信号を検知したときには、表示手段にヘルプ情報を要請するための２次元コード１２３を表示させ、検知手段によりトリガ信号を検知しないときには、表示手段に２次元コード１２３の表示を停止させる。さらには、表示手段をヘルプモードであることの表示に戻すシステム制御部５０（表示制御手段）を有する。さらに、ヘルプモードであることの表示手段による表示は、表示手段上で行われる設定操作の邪魔にならない位置に表示される。そして、ヘルプ情報は、表示手段上で行われる設定操作に関連する情報である。
【００４１】
よって、撮像装置に対して読取装置が２次元コード読み取り可能状態であることを示すトリガ信号を検知したりしなかったりすることのみで、ヘルプモードの表示とヘルプ情報を要請するための２次元コードの表示とを切り換えることを可能にする。したがって、ユーザーはデジタルカメラ１００の設定操作時、自分が情報を得たいときに携帯電話１２２のＷｅｂサイトに接続してヘルプ情報を得ることができ、携帯電話１２２に表示されたヘルプ情報を見ながらカメラの設定操作を行うことが可能になる。
【００４２】
また、検知手段によりトリガ信号を検知しないときには、表示手段に２次元コードの表示を停止させるとともに、表示手段を前記ヘルプモードであることの表示に戻すため、ユーザーはデジタルカメラ１００の元の設定操作状態を覚えておく必要がなくなる。さらに、一度ヘルプ情報を見てデジタルカメラ１００の設定操作をした後に、さらにそこから派生するヘルプ情報を得たい場合も、同様である。つまり、検知手段によりトリガ信号が検知されるようにするだけで、その時の設定操作に対応したＱＲコードがタイムリーに表示されるため、ユーザーはスムーズにヘルプ情報を得て設定操作を続けることができる。
【符号の説明】
【００４３】
５０      システム制御部
１０９    液晶表示部
１１９ａ  ヘルプ用ボタン
１２１    光電センサ
１２０    ヘルプモードアイコン
１２２    読取装置（携帯電話）
１２３    ＱＲコード（２次元コード）
【図１】
2011155534.tif 000003
【図２】
2011155534.tif 000004
【図３】
2011155534.tif 000005
【図４】
2011155534.tif 000006
【図５】
2011155534.tif 000007
【図６】
2011155534.tif 000008
【図７】
2011155534.tif 000009
【図８】
2011155534.tif 000010